(57)【特許請求の範囲】
【請求項１】
断熱性能を有する冷蔵庫本体と、前記冷蔵庫本体内に設けた複数の貯蔵室と、前記貯蔵室の開口部をそれぞれ開閉可能とする複数の断熱扉とを備え、前記断熱扉は、内フレームと縁枠と着色層付きの透明前板と発泡断熱材とで形成し、前記透明前板の外周側面は露出するとともに、前記縁枠の下端面に透明前板支持片を設けたもので、前記透明前板支持片は、前記透明前板の前面から飛び出すことのない寸法としたことを特徴とする冷蔵庫。
【発明の詳細な説明】
【技術分野】
【０００１】
本発明は冷蔵庫に関し、特に冷蔵庫の扉構成に関するものである。
【背景技術】
【０００２】
一般にこの種の冷蔵庫は、断熱性を有する冷蔵庫本体内に冷蔵室、冷凍室、冷凍室等を設け、これら各冷蔵室、冷凍室、冷凍室等は扉によって開閉可能に構成してある。
【０００３】
上記扉は、冷蔵庫本体の前面となる前板と、冷蔵室、冷凍室、冷凍室等の内面となる内フレームと、これら前板と内フレームとを一体に連結する枠体と、の間にウレタンを充填発泡させて冷蔵庫本体と同様断熱性を有するように構成してある。
【０００４】
このような冷蔵庫にあって、その扉の前板は冷蔵庫全体の見栄え、すなわち意匠に大きな影響を与え、その仕上がりは冷蔵庫全体の品位を大きく左右する。
【０００５】
そこでこの扉の意匠性を向上させるべく扉の前板をガラス板で構成したものが見られる（例えば、特許文献１参照）。
【０００６】
図１１は上記特許文献１で提案された扉を示し、その前板１０１は模様等の着色層１０２をシルク印刷によって形成した着色ガラス板１０３で構成してあり、当該着色ガラス板１０３と内フレーム１０４と枠体１０５との間にウレタン１０６を充填発泡させて構成してある。
【先行技術文献】
【特許文献】
【０００７】
【特許文献１】特許第３１４０１１０号公報
【発明の概要】
【発明が解決しようとする課題】
【０００８】
上記従来の構成によれば、着色層１０２の手前に着色ガラス板１０３の透明層が位置するため、着色の色に深みが加わって質感が増し、金属製あるいは樹脂製の塗装前板に比べるとその意匠性が向上する利点がある。
【０００９】
しかしながら、上記従来の扉は枠体１０５に着色ガラス板挿入部１０７を設け、この着色ガラス板挿入部１０７に前記着色ガラス板１０３の外周部をはめ込んでいたため、この着色ガラス板挿入部１０７が着色ガラス板１０３の前面周囲に露出し、着色ガラス板１０３を用いて向上させた意匠性を損なうという課題があった。また、着色ガラス板挿入部１０７と同様に各扉に設けた把手１０８の把手枠一部がガラス板の前面に露出し、これまた意匠性を損ねる一因となっていた。
【００１０】
特に扉が複数備わっている場合は、各扉の外周部の着色ガラス板挿入部１０７や把手枠１０９の露出箇所が多いため、扉面全体が当該着色ガラス板挿入部１０７や把手枠１０７の突出によって、意匠性を大きく損なうものであった。
【００１１】
本発明はこのような点に鑑みてなしたもので、複数の扉を備えた冷蔵庫であってもその扉前面の意匠性を高いものとした冷蔵庫を提供するものである。
【課題を解決するための手段】
【００１２】
本発明は上記目的を達成するため、断熱性能を有する冷蔵庫本体と、前記冷蔵庫本体内に設けた複数の貯蔵室と、前記貯蔵室の開口部をそれぞれ開閉可能とする複数の断熱扉とを備え、前記断熱扉は、内フレームと縁枠と着色層付きの透明前板と発泡断熱材とで形成し、前記透明前板の外周側面は露出するとともに、前記縁枠の下端面に透明前板支持片を設けたもので、前記透明前板支持片は、前記透明前板の前面から飛び出すことのない寸法としたものである。
【００１３】
これにより、扉の意匠性を高めながら、万が一の透明前板の落下を確実に防止することができる。
【発明の効果】
【００１４】
本発明は、万が一の透明前板の落下を確実に防止することができるので、意匠性を高めながら信頼性の高い冷蔵庫を提供することができる。
【図面の簡単な説明】
【００１５】
【図１】本発明の実施の形態１における冷蔵庫の外観斜視図
【図２】同冷蔵庫の正面図
【図３】同冷蔵庫の模式断面図
【図４】同図２のＡ−Ａ断面図
【図５】同冷蔵庫の観音式扉と引き出し式扉の把手部を示す拡大断面図
【図６】同冷蔵庫の扉の一つを示す斜視図
【図７】同冷蔵庫の扉の分解斜視図
【図８】同図６のＢ−Ｂ断面図
【図９】同図６のＣ−Ｃ断面図
【図１０】同冷蔵庫の縁枠に対するテープ貼り状態を説明する説明図
【図１１】従来の冷蔵庫における扉の断面図
【発明を実施するための形態】
【００１６】
第１の発明は、断熱性能を有する冷蔵庫本体と、前記冷蔵庫本体内に設けた複数の貯蔵室と、前記貯蔵室の開口部をそれぞれ開閉可能とする複数の断熱扉とを備え、前記断熱扉は、内フレームと縁枠と着色層付きの透明前板と発泡断熱材とで形成し、前記透明前板の外周側面は露出するとともに、前記縁枠の下端面に透明前板支持片を設けたもので、前記透明前板支持片は、前記透明前板の前面から飛び出すことのない寸法としたものである。
【００１７】
これにより、万が一の透明前板の落下を確実に防止することができるので、意匠性を高めながら信頼性の高い冷蔵庫を提供することができる。
【００１８】
以下、本発明の実施の形態について、図面を参照しながら説明する。なお、この実施の形態によってこの発明が限定されるものではない。
【００１９】
（実施の形態１）
図１は本発明の実施の形態１における冷蔵庫の外観斜視図、図２は同冷蔵庫の正面図、図３は同冷蔵庫の模式断面図、図４は同図２のＡ−Ａ断面図、図５は同冷蔵庫の観音式扉と引き出し式扉の把手部を示す拡大断面図、図６は同冷蔵庫の扉の一つを示す斜視図、図７同冷蔵庫の扉の分解斜視図、図８は同図６のＢ−Ｂ断面図、図９は同図６のＣ−Ｃ断面図、図１０は同冷蔵庫の縁枠に対するテープ貼り状態を説明する説明図である。
【００２０】
図１〜図３において、冷蔵庫本体１は、前方に開口する金属製（例えば鉄板）の外箱２と、硬質樹脂製（例えばＡＢＳ）の内箱３と、これら外箱２と内箱３との間に発泡充填した硬質の発泡ウレタン４からなる。上記冷蔵庫本体１はその内部に複数の貯蔵室を仕切形成してある。この貯蔵室は、冷蔵庫本体１の上部から、冷蔵室５、冷蔵室５の下に位置す
る切替室６及び切替室６に並設した製氷室７、切替室６及び製氷室７の下部に位置する冷凍室８と、冷凍室８の下部に位置する野菜室９となっている。また、前記冷蔵室５の前面は、観音開き式の断熱扉１０，１０（以下、観音式扉と称す）により開閉自由に閉塞し、切替室６及び製氷室７と冷凍室８と野菜室９の前面部は引き出し式の断熱扉１１，１２，１３，１４（以下、引き出し式扉と称す）によって開閉自由に閉塞してある。
【００２１】
冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２１と、前記した冷却器１７とを順次環状に接続してなる冷凍サイクルに冷媒を封入し、冷却運転を行うように構成してある。
【００２２】
ここで、上記各断熱扉１０〜１４は冷蔵庫本体１と同様硬質のウレタンを発泡充填して断熱性を持たせてあり、更に意匠性を向上させるべくその前面をガラス板等の透明前板で構成してある。
【００２３】
以下、扉１０を例にしてその構成について図４〜図１０を用いて説明する。なお、扉１０以外の扉１１〜１４も同様の構成である。
【００２４】
図４〜図１０において、２３は冷蔵庫本体１の内側に位置することになる内フレームで、例えばＡＢＳ樹脂で形成してある。２４はこの内フレーム２３の周端面に結合固定した縁枠で、ＡＢＳ樹脂で形成してある。２５は前記内フレーム２３を覆うようにその縁枠２４に積層配置したガラス板等の透明前板（以下、ガラス板と称す）で、この実施の形態では光沢のある強化ガラス板で形成してある。
【００２５】
このガラス板２５は着色層が原因となる剥がれにも対応すべく図８、図９に示すようにその内面に接着剤２６を介して樹脂フィルム２７を貼り付け、この樹脂フィルム２７に絵模様、例えばヘアーラインのような金属調模様からなる着色層２８が形成してある。これによって、前記ガラス板２５は、あたかも着色層付きのガラス板となる。前記樹脂フィルム２７はこの実施の形態では透明性が高く機械的強度の高いポリエチレンテレフタレートを用い、着色層２８はホワイト系ではガラス板２５とは反対側面に形成し、グレー系ではガラス板２５側に形成してある。図面ではガラス板２５とは反対側面に形成した場合を示している。
【００２６】
なお、ヘアーラインを立体的に強調する場合には、ガラス板２５側に形成した着色層とは反対側の樹脂フィルムの表面に凹凸状の溝を設けて立体形状のヘアーラインを形成し、その表面にクロム蒸着層を形成する。これにより、意匠性を向上できるとともに、蒸着層の材料をクロムとすることで、フィルムと蒸着層の端面を起点とする蒸着層の錆発生を防止でき、模様の耐久性を向上させる効果がある。
【００２７】
２９は前記ガラス板２５の樹脂フィルム２７側の面と内フレーム２３と縁枠２４との間の空間に充填発泡させた硬質のウレタンで、発泡によって内フレーム２３及び縁枠２４とともに前記ガラス板２５内面の樹脂フィルム２７に接着し、当該樹脂フィルム２７を介してガラス板２５を接着保持している。
【００２８】
ここで、前記内フレーム２３の縁枠２４は従来例で説明したような着色ガラス板挿入部を有しておらず、前記ガラス板２５はその外周部をそのまま露出させた構成としてある。更に上記ガラス板２５はその外周縁を図９に示すように縁枠２４の端面２４ｃより若干内側に位置させた構成としてある。
【００２９】
また、図４に示すように観音式扉１０，１０の把手部１０ａ，１０ａは縁枠２４の下端面に上向きの凹部を形成して構成してある。また観音式扉１０，１０直下の引き出し式扉１１，１２の把手部１１ａ，１２ａは、引き出し式扉１１，１２の縁枠２４の下端面に上向きの凹部を形成して構成してある。更にその下方の冷凍室８及び野菜室９の把手部１３ａ，１４ａは、それぞれの引き出し式扉１３，１４の縁枠２４の上端面に下向きの凹部を形成して構成してある。そして、上記各把手部１０ａ，１０ａ，１１ａ，１２ａ，１３ａ，１４ａを形成した縁枠２４はすでに述べた通り着色ガラス板挿入部を有しておらず、ガラス板２５の前面から突出することはない構成としてある。
【００３０】
また、この実施の形態では特に観音式扉１０，１０の直下に位置する引き出し式扉１１，１２の上端部は、上方から下方へ向かって手前側にせり出し傾斜する傾斜面１１ｂ，１２ｂとして、前記観音式扉の把手部１０ａ，１０ａへの手挿入が容易に行える構成としてある。
【００３１】
更に、図５から明らかなように、前記傾斜面１１ｂ，１２ｂの下方の端部イは、当該傾斜面１１ｂ，１２ｂを設けた引き出し式扉１１，１２のガラス板２５の上端部ロよりも上方に位置させ、同傾斜面１１ｂ，１２ｂの上方の端部ハは、その上方に位置する観音式扉１０，１０の奥行の１／２よりも奥側に位置する構成としてある。
【００３２】
一方、この実施の形態ではガラス板２５の外周部を保持するガラス板挿入部を廃止したことにより懸念されるガラス板２５の接着保持を確実化する構成を備えており、以下その構成を説明する。
【００３３】
まず、前記ガラス板２５の樹脂フィルム２７側の面と内フレーム２３と縁枠２４との間の空間に充填発泡させた発泡ウレタン２９は、その発泡密度をガラス板２５の中央部分より外周部分の方を高く設定してある。
【００３４】
また、前記内フレーム２３の縁枠２４とガラス板２５の外周部とは両面テープ３０を介して接着してある。
【００３５】
これによって、前記ガラス板２５は発泡ウレタン２９に接着保持されるとともに両面テープ３０によって縁枠２４にも接着保持されることになる。
【００３６】
前記両面テープ３０は図１０に示すように、ガラス板２５の上下水平縁部に沿って位置する水平テープ部３０ａと同ガラス板２５の左右縁部に沿って位置する垂直テープ部３０ｂとからなり、水平テープ部３０ａはガラス板２５の横幅ほぼいっぱいに位置し、その長辺側面に垂直テープ部３０ｂの短辺側面を突き当てるよう配置した形で縁枠２４に貼り付けてある。また、縁枠２４のテープ接着面は、縁枠外縁側に位置する平坦部２４ａと、縁枠内縁側に位置していて縁枠内縁側に開放した複数の溝２４ｂと、を備えた構成としてあり、両面テープ３０は前記平坦部２４ａと溝２４ｂの両方にまたがるように縁枠２４に貼り付けてある。
【００３７】
更にこの実施の形態では、図８に示すように前記内フレーム２３の縁枠２４のうち、ガラス板２５の下端面に位置する部分には、当該ガラス板２５の前面から前方に飛び出すことのない程度の寸法でガラス板下端面に重合する透明前板支持片（以下、ガラス板支持片と称す）２４ｄを設け、ガラス板２５の重量を支えるように構成してある。
【００３８】
上記構成において、この冷蔵庫の各扉はその前面を着色層付きのガラス板２５で構成してあるから、着色層２８の色に深みが加わって質感が増し、その意匠性は高いものとなる。しかも、上記扉は複数あっても、その各断熱扉１０〜１４の前面を構成するガラス板２
５の表面部にはガラス板挿入部や把手部１０ａ〜１４ａによる出っ張りが無く、ガラス板２５のみの平坦な面となるから、扉全面はフラット感のあるスッキリとした良好なものとなる。
【００３９】
また、冷蔵庫本体内の最上部に位置する冷蔵室５の観音式扉１０，１０直下にある引き出し式扉１２，１３は、その上端部に傾斜面１１ｂ，１２ｂを形成してあるから、観音式扉１０，１０の把手部１０ａ，１０ａへの手の挿入は容易にできる。特にこの実施の形態では、上記傾斜面１１ｂ，１２ｂの上方の端部は、その上方に位置する観音式扉１０，１０の奥行の１／２よりも奥側に位置させてあるから、観音式扉１０，１０の下端面に凹設した把手部１０ａ，１０ａへの手挿入は何の障害も無く容易に行えるようになる。
【００４０】
その結果、この冷蔵庫では上記観音式扉１０，１０とその直下にある引き出し式扉１１，１２との間の隙間を狭くすることができる。この観音式扉１０，１０とその直下にある引き出し式扉１１，１２との間の隙間は、比較的高いところに位置しているため使用者の目につきやすいところであるが、上記隙間が狭いために観音式扉１０，１０と引き出し式扉１１，１２との一体感やフラット感を良好に維持できる。
【００４１】
また、前記観音式扉１０，１０の左右扉間の隙間も、把手部１０ａ，１０ａを扉下端面に凹設したことによって、左右扉間に把手部を設ける必要がなくなって狭くすることができ、観音式扉１０，１０の左右扉の一体感やフラット感も良好に維持することができる。
【００４２】
このように観音式扉１０，１０と引き出し式扉１１，１２及び観音式扉１０，１０の左右扉間の一体感やフラット感を維持できることによって、その意匠性は一段と良好なものとなる。
【００４３】
また、上記引き出し式扉１１，１２の傾斜面１１ｂ，１２ｂ下方の端部は、当該傾斜面１１ｂ，１２ｂを設けた引き出し式扉１１，１２の透明前板２５の上端縁よりも上方に位置させてあるから、観音式扉１０，１０の開閉時に使用者が手に鍋等を持ちながら開閉することがあっても、透明前板２５の上端縁はその上方に位置する傾斜面１１ｂ，１２ｂの下方端部によってガードされ、損傷することを防止できる。すなわち、ガラス板２５を保持するためのガラス板挿入部を廃止してもガラス板外周部の破損を防止することができ、安心して使用することができる。
【００４４】
更にこの実施の形態ではガラス板２５はその外周縁が縁枠２４の端面２４ｃより若干内側に位置する構成としてあるから、このガラス板２５はその上端部のみならずその外周縁全体を縁枠２４の端面２４ｃが保護することになる。よって、例えば生産ラインでの扉搬送時やユーザ宅における扉交換サービス時にガラス板２５の外周縁が何らかの物に当たって割れたりするようなことを防止することもできる。
【００４５】
一方、この冷蔵庫の扉は、発泡ウレタン２９の発泡密度をガラス板２５の中央部分より外周部分の方が高くなるようにしてあるから、発泡ウレタン２９の接着力はガラス板２５の外周部分のほうが強くなる。これにより、ガラス板２５の樹脂フィルム２７と発泡ウレタン２９との接着力を長期間に亘ってより確実に維持保障することができる。
【００４６】
すなわち、発泡ウレタン２９の外周部はその発泡密度が高い、換言すると、ごく微細に発泡したスキン層となっているため、その接着面積が大きく、その結果、発泡ウレタン２９とガラス板２５の樹脂フィルム２７との接着密度は高く強固なものとなっているのである。よって、ガラス板挿入部を廃止してもガラス板２５を長期間に亘って確実に発泡ウレタン２９に接着保持することができる。
【００４７】
更に上記扉は、ガラス板２５を発泡ウレタン２９で接着保持すると同時に、ガラス板２５の外周部は両面テープ３０によって内フレーム２３の縁枠２４に接着してあるから、ガラス板２５は発泡ウレタン２９との接着に加え両面テープ３０を介して縁枠２４にも接着されることになる。よって、樹脂フィルム２７を貼り付けた着色層付きのガラス板２５は発泡ウレタン２９と縁枠２４の両方に強力に接着保持されることになり、長期間に亘ってガラス板２５の接着強度を維持保障することができる。
【００４８】
加えて、上記両面テープ３０はガラス板２５の外周部を内フレーム２３の縁枠２４に接着しているから、扉に掛かる水が扉端部から扉内方へ侵入し、この水侵入による発泡ウレタン２９とガラス板２５との接着剥がれを確実に防止することができ、ガラス板２５の接着保持を長期間に亘って保障することができる。
【００４９】
すなわち、冷蔵庫は内部と外部で温度差が激しく、扉の開閉時に内部からの冷気によって扉のガラス板２５端部は結露や激しい温度変化の影響を受ける。また、使用者の使い方によっては、開閉時に激しい衝撃を扉に与えたり、収納物の出し入れ時にガラス板２５を含む扉に水や汁を溢す使用実態となる。そして、このような冷蔵庫特有の使用環境・実態によってガラス板２５の端部は当該ガラス板端部を覆うガラス板挿入部が無いと、扉端部に掛かった水等が扉内方へ侵入しやすく発泡ウレタン２９から剥がれやすい環境となっている。
【００５０】
このような環境下において、この実施の形態では、扉端部となるガラス板２５と内フレーム２３の縁枠２４との間を両面テープ３０によって接着しているので、これらガラス板２５と縁枠２４との間から扉内方への水等の侵入を両面テープ３０によって確実に防止することができる。よって、扉端部から水等が扉内方へ侵入してガラス板２５と発泡ウレタン２９との接着剥がれを防止でき、長期間に亘ってガラス板２５と発泡ウレタン２９との接着強度を保ち保障することができる。
【００５１】
特に上記両面テープ３０は、ガラス板２５の上下水平縁部に沿って配置した水平テープ部３０ａの長辺側面に垂直テープ部３０ｂの短辺側面を突き当てるよう配置した構成としてあるから、扉端部に水が掛かってもその水のうち、特に重力によって内方へと侵入しやすい扉上部は両面テープ３０の水平テープ部３０ａがその全長に亘って切れ目なく位置することになるから、扉内方への水の侵入を確実に防止することができ、ガラス板２５の接着保持の信頼性を更に高めることができる。
【００５２】
また、内フレーム２３の縁枠２４のテープ接着面は、縁枠外縁側に位置する平坦部２４ａと、縁枠内縁側に位置していて縁枠内縁側に開放した複数の溝２４ｂとを備えているから、両面テープ３０を内フレーム２３の縁枠２４に貼り付ける際、両面テープ３０と縁枠２４との間に生じやすい気泡が複数の溝２４ｂから円滑に抜けていくことになり、気泡のない確実な両面テープ３０の接着が可能となって、よりガラス板２５の接着強度を向上させることができる。
【００５３】
このガラス板２５と発泡ウレタン２９との接着力は寿命加速試験を行った結果、その接着力は１．０ｇ／ｃｍ２以上、好ましくは２．６ｇ／ｃｍ２以上とすることにより、発泡ウレタン２９の熱収縮等の経年変化による接着力劣化があっても確実に樹脂フィルム２７と発泡ウレタン２９との接着強度を保障することができ、ひいてはガラス板２５の接着強度を長期間に亘って維持保障することができて、信頼性の高いものとすることができた。
【００５４】
上記接着力の測定方法は、接着剤の重ね合わせせん断接着強さの標準的な測定方法である「ＪＩＳ  Ｋ  ６８５０（接着剤−剛性被着材の引張せん断  接着強さ試験方法）」に基づく。
【００５５】
一方、この実施の形態の冷蔵庫では、前記着色層２８は樹脂フィルム２７に形成しているので、ローラ等によって形成することができ、ガラス板に直接着色層をシルク印刷するものでは不良率が高くて実質的には得られなかったようなヘァーラインライン等の精細な模様も形成できて、その意匠性を格段に向上させることができる。
【００５６】
また、ガラス板挿入部を廃止したので、このガラス板挿入部とガラス板との間の境界部にほこりや塵埃等が付着堆積してこれが時間の経過とともに線状に目立ってくることもなく、長期間に亘って初期の高い意匠性をそのまま維持することができる。
【００５７】
あわせて着色層２８はローラ等によって形成することができるので、樹脂フィルム２７に対する接着強度を管理保障することができ、発泡ウレタンの熱収縮や経年変化等による接着状態の劣化が生じても樹脂フィルム２７に対し剥がれることを確実に防止できる。
【００５８】
これにより、樹脂フィルム２７をガラス板２５と発泡ウレタン２９との間に位置させてこれら両者を発泡ウレタン２９及び接着剤２６の接着力によって接着させたとき、着色層２８が樹脂フィルム２７から剥がれこの剥がれに起因してガラス板２５が発泡ウレタン２９から剥離等するのも防止することができる。よって、更に長期間に亘ってフィルム付きガラス板２５の接着強度を維持保障することができる。
【００５９】
また、仮にガラス板２５に何らかの外力が加わって万が一割れることがあっても、このガラス板片は樹脂フィルム２７に接着していて飛散を防止されることになり、万が一のときの安全性も向上する。
【００６０】
更にこの実施の形態では、前記内フレーム２３の縁枠２４のうち、ガラス板２５の下端面に位置する部分には当該ガラス板２５の前面から前方に飛び出すことなくガラス板下端面に重合するガラス板支持片２４ｄが位置しているから、ガラス板２５はその重量を内フレーム２３の縁枠２４のガラス板支持片２４ｄによって支持されることになる。よって、万が一、発泡ウレタン２９によるガラス板２５の接着力の劣化によってガラス板２５の剥がれが部分的に生じるようなことがあったとしても、ガラス板２５が落下する等の異常事態は確実に防止でき安心感が大きく向上する。また、前記縁枠２４のガラス板支持片２４ｄはガラス板前面より飛び出すことがないので、ガラス板挿入部のように扉前面から見えることもなく、意匠性及び全面フラット感は良好なまま維持できる。
【００６１】
以上、本発明の主な実施形態を説明したが、上記実施の形態は本発明を実施するうえでの一例として示したものであり、本発明の目的を達成する範囲内で種々変更可能であることは言うまでもない。
【００６２】
例えば、ガラス板を透明樹脂板に置き換えても良く、これによって軽量化による接着強度の更なる保障が可能となり、しかも低コスト化を図ることができる。また、ガラス板に着色層付きの樹脂フィルムを貼り付けて着色層付きのガラス板としたが、これは樹脂フィルムを廃止してガラス板に直接着色層を形成することにより着色層付きガラス板としても良いものである。
【００６３】
更に、樹脂フィルム２７の着色層２８はすでに述べている通りガラス板側であっても良く、また、樹脂フィルム２７と発泡ウレタン２９との接着強度を向上させるために樹脂フィルム２７の表面には、コロナ処理やプラズマ処理を施したり、ウレタン系またはポリエステル系やアクリル系接着剤を塗布して、易接着層を形成しても良い。また、易接着層としてウレタンバインダー或いは蒸着層を用いても良く、或いは当該易接着層と発泡ウレタン２９との間に更に蒸着層或いはウレタンバインダー或いはその双方を介在させても良く
、必要に応じて用いることによって接着強度や着色層の意匠性を向上させることができる。
【産業上の利用可能性】
【００６４】
以上のように本発明は、質感があり、かつ、複数の断熱扉によって冷蔵庫の扉を構成していても出っ張りのない全面フラットで高い意匠性の扉を備えた冷蔵庫とすることができ、一般用はもちろん業務用の冷蔵庫やワインクーラーにも幅広く適用できる。
【符号の説明】
【００６５】
１  冷蔵庫本体
２  外箱
３  内箱
４  発泡ウレタン
５  冷蔵室
６  切替室
７  製氷室
８  冷凍室
９  野菜室
１０  断熱扉（観音式扉）
１１，１２，１３，１４  断熱扉（引き出し式扉）
１０ａ，１１ａ，１２ａ，１３ａ，１４ａ  把手部
１１ｂ，１２ｂ  傾斜面
１６  冷却室
１７  冷却器
１８  送風ファン
１９  圧縮機
２０  放熱パイプ
２１  キャピラリーチューブ
２３  内フレーム
２４  縁枠
２４ａ  平坦部
２４ｂ  溝
２４ｃ  端面
２４ｄ  透明前板支持片（ガラス板支持片）
２５  透明前板（ガラス板）
２６  接着剤
２７  樹脂フィルム
２８  着色層
２９  発泡ウレタン
３０  両面テープ
【図１】
0005633627.tif 000002
【図２】
0005633627.tif 000003
【図３】
0005633627.tif 000004
【図４】
0005633627.tif 000005
【図５】
0005633627.tif 000006
【図６】
0005633627.tif 000007
【図７】
0005633627.tif 000008
【図８】
0005633627.tif 000009
【図９】
0005633627.tif 000010
【図１０】
0005633627.tif 000011
【図１１】
0005633627.tif 000012